(57)【要約】      （修正有）【課題】使用後のリハパンを、直ぐに付設の収納袋を利用して清潔かつ簡便に収納・廃棄できる収納袋を備えたリハパンと収納袋を提供する。【解決手段】リハビリ用の使い捨てパンツたるリハビリパンツＡにおいて、リハパンＡが使用された後、当該リハパンＡ全体を収納自在なビニール袋１が装填された収納袋Ｓが、リハパンＡの外周ａに備え付けられている。リハパンＡの収納袋Ｓは、表面に開口部６を有する小袋１０と、当該小袋１０の中に折り畳んで収納されたビニール袋１とから成り、収納袋ＳがリハパンＡの背面の上部に備え付けられている。【選択図】図２
0003196236.tif 000002
【実用新案登録請求の範囲】
【請求項１】
リハビリ用の使い捨てパンツたるリハビリパンツにおいて、
前記リハビリパンツが使用された後、当該リハビリパンツ全体を収納自在なビニール袋が装填された収納袋が、前記リハビリパンツの外周に備え付けられていることを特徴とする収納袋を備えたリハビリパンツ。
【請求項２】
収納袋は、リハビリパンツの背面の上部に備え付けられていることを特徴とする請求項１に記載した収納袋を備えたリハビリパンツ。
【請求項３】
収納袋は、表面に開口部を有する小袋と、当該小袋の中に折り畳んで収納されたビニール袋とから成ることを特徴とする請求項１又は２に記載した収納袋を備えたリハビリパンツ。
【請求項４】
収納袋の小袋の内面に、ビニール袋の基部が接着されて成ることを特徴とする請求項１〜３のいずれか１項に記載した収納袋を備えたリハビリパンツ。
【請求項５】
収納袋は、リハビリパンツの外周に対し後付けされて成ることを特徴とする請求項１〜４のいずれか１項に記載した収納袋を備えたリハビリパンツ。
【請求項６】
収納袋は、リハビリパンツの内側底部に着脱自在なパッドの外周に備え付けられ、当該パッドを収納自在に構成されていることを特徴とする請求項１〜５のいずれか１項に記載した収納袋を備えたリハビリパンツ。
【請求項７】
リハビリパンツ又は排泄物袋の使用後に、当該リハビリパンツ全体又は排泄物袋全体を収納自在なビニール袋が、小袋に収納されて成ることを特徴とする収納袋。
【考案の詳細な説明】
【技術分野】
【０００１】
本考案は、収納袋を備えたリハビリ用のパンツ（紙おむつ）とその収納袋に係り、さらに言えば、備え付けられるか単独の収納袋を利用して使用後は清潔かつ簡便にリハビリパンツや排泄物袋を回収・廃棄できる収納袋を備えたリハビリパンツと収納袋の技術分野に関する。
【背景技術】
【０００２】
従来の所謂紙おむつとして、例えば下記特許文献１（実用新案登録第２５５０４６９号）の技術が公知に属する。
【０００３】
すなわち、特許文献１には、「透水性シートからなる表面部材と不透水性シートからなる裏面部材との間に吸収体が介在し、これら両部材からなる前身頃と後身頃とを胴周り両側部で接合してなるパンツ型使い捨ておむつにおいて、前記表裏面部材が実質的に非伸縮性であり、前記前後身頃の接合は前記表裏面部材の側縁をおむつ外側に臨ませ、この接合により形成される胴周り開口部周縁には胴周り弾性部材を伸張下に貼着し、前記前後身頃の少なくとも一方には前記弾性部材よりも股下寄りにおいて胴周り方向へ弾性部材を伸張下に貼着しておむつに補助的な伸縮性が付与してあり、かつ、重ね合わせた前記両部材が両手で摘持しておむつ幅方向に引き裂き可能な強度にしてあることによって、前記吸収体の端縁と胴周り弾性部材との間において前記前後身頃がその側縁から横幅方向へ引き裂いて環状の引き裂き片を形成することが可能であることを特徴とする前記使い捨ておむつ（請求項１）。」が開示されている。
【先行技術文献】
【特許文献】
【０００４】
【特許文献１】登録第２５５０４６９号実用新案登録公報
【考案の概要】
【考案が解決しようとする課題】
【０００５】
前記特許文献１に記載された考案は、パンツ型おむつを胴周り弾性部材と吸収体端縁との間において横幅方向に引き裂き可能に作り、得られる引き裂き片で使用後に丸めたおむつを止着することができる。
【０００６】
しかし、このように丸めて引き裂き片で止着したおむつをそのまま捨てるのは衛生的でないため、通例は別途ビニール袋を用意し、そのビニール袋に当該おむつを入れて廃棄しなければならず、収納廃棄用のビニール袋を別途用意しておくのが面倒である。そうして丸めたおむつを、別に用意したビニール袋の中に収納する際に手が汚れるといった問題もある。
【０００７】
また、所謂ストーマ（人工肛門の排泄口）に取り付けられる排泄物袋に関しても、前記のおむつと同様にそれを廃棄する際にビニール袋を別途用意しておく手間や作業が面倒である。
【０００８】
したがって、本考案が解決しようとする課題は、使用した後のリハビリ用のパンツ（以下「リハパン」ともいい、紙おむつも含む。）を、直ぐに付設の収納袋を利用して清潔かつ簡便に収納して廃棄できること、またストーマ等に取り付けられる排泄物袋を当該収納袋により容易に回収できる使い勝手に優れて便利な収納袋を備えたリハビリパンツと収納袋を提供することにある。
【課題を解決するための手段】
【０００９】
上記課題を解決するための手段として、請求項１記載の考案の収納袋を備えたリハビリパンツは、リハビリ用の使い捨てパンツたるリハビリパンツＡにおいて、前記リハビリパンツＡが使用された後、当該リハビリパンツＡ全体を収納自在なビニール袋１が装填された収納袋Ｓが、前記リハビリパンツＡの外周ａに備え付けられていることを特徴とする。
【００１０】
請求項２に記載した考案の収納袋を備えたリハビリパンツは、前記収納袋ＳがリハビリパンツＡの背面の上部７に備え付けられていることを特徴とする。
【００１１】
請求項３に記載した考案の収納袋を備えたリハビリパンツは、前記収納袋Ｓが表面に開口部６を有する小袋１０と、当該小袋１０の中に折り畳んで収納されたビニール袋１とから成ることを特徴とする。
【００１２】
請求項４に記載した考案の収納袋を備えたリハビリパンツは、前記収納袋Ｓの小袋１０の内面に、ビニール袋１の基部３が接着されて成ることを特徴とする。
【００１３】
請求項５に記載した考案の収納袋を備えたリハビリパンツは、前記収納袋ＳがリハビリパンツＡの外周ａに対し後付けされて成ることを特徴とする。
【００１４】
請求項６に記載した考案の収納袋を備えたリハビリパンツは、前記収納袋ＳがリハビリパンツＡの内側底部８に着脱自在なパッドＢの外周ｂに備え付けられ、当該パッドＢを収納自在に構成されていることを特徴とする。
【００１５】
請求項７に記載した考案の収納袋は、リハビリパンツＡ又は排泄物袋の使用後に、当該リハビリパンツ全体又は排泄物袋全体を収納自在なビニール袋１が、小袋１０に収納されて成ることを特徴とする。
【考案の効果】
【００１６】
本考案の請求項１に係る収納袋を備えたリハビリパンツは、当該リハパン全体を収納自在なビニール袋が装填された収納袋が前記リハパンの外周に備え付けられているので、リハパンの使用後は丸めて小さくしたのち直ぐに、この付設の収納袋からビニール袋を取り出し、裏返しながらリハパンの外周を包み、匂いを漏らさずに清潔かつ簡便にリハパンをビニール袋に収納して廃棄できる利便性に優れている。
【００１７】
また、収納袋はリハパンの背面の上部に備え付けられているから、リハパン着用者の気に障ることなく収納袋のリハパンへの常時備え付けが万全である（請求項２）。
【００１８】
さらに、請求項３のように、収納袋は表面に開口部を有する小袋と、当該小袋の中に折り畳んで収納されたビニール袋とから成るコンパクト設計ゆえ製造コストが抑えられ、リハパン取扱い者にとって使い易い。
【００１９】
なお、前記小袋を破ってビニール袋を取り出してもよく、無造作に素早く小袋からビニール袋を取り出せる自在性もある。
【００２０】
そして、収納袋の小袋の内面にビニール袋の基部が接着されて成るので（請求項４）、このビニール袋を小袋から無造作に広げても当該ビニール袋が離脱されることなく、リハパンの収納作業をスムーズに行える。
【００２１】
加えて請求項５のように収納袋は、リハパンの外周に対し後付けされて成るため、既存のリハパンに利用でき取扱いやすい。
【００２２】
しかも前記収納袋はリハパンの内側底部に着脱自在なパッドの外周にも備え付けることができるから、使用後の当該パッドを収納できる自在性にも優れている（請求項６）。
【００２３】
また、請求項７に係る収納袋は、リハビリパンツ又は排泄物袋の使用後に、当該リハビリパンツ全体又は排泄物袋全体を収納自在なビニール袋が小袋に収納されて成るので、ストーマ等に取り付けられた排泄物袋を当該収納袋により容易に回収することができて便利である。
【図面の簡単な説明】
【００２４】
【図１】本考案の収納袋を備えたリハパンを示した全体図である。
【００２５】
【図２】図１のリハパンの使用後の収納要領を示した斜視図である。
【００２６】
【図３】リハパン収納後のビニール袋を結ぶ要領を示した全体図である。
【００２７】
【図４】収納袋のパッドへの使用要領を示した斜視図である。
【考案を実施するための最良の形態】
【００２８】
本考案の収納袋を備えたリハビリパンツ等の好適な実施形態について、以下図面にしたがいながら説明する。この収納袋を備えたリハビリパンツとは、リハビリ用の使い捨てパンツである所謂リハパンＡに実施されるが、紙おむつも含んで同様に実施される広い概念のものである。
【００２９】
図１は、本実施形態の収納袋を備えたリハパンＡを背面側からみた全体図を示している。
【００３０】
このリハパンＡが使用された後、当該リハパンＡ全体を収納自在なビニール袋１が装填された収納袋Ｓが、前記リハパンＡの背面外周ａの上部７に備え付けられている。
【００３１】
収納袋Ｓは、表面に開口部６を有する小袋１０と、当該小袋１０の中に折り畳んで収納されたビニール袋１とから成っている。
【００３２】
小袋１０は、吸水性と耐久性ある例えば不織布により、縦が４５ｍｍ、横が３０ｍｍの大きさの袋状に形成され、手前の表面に縦方向に開口部６を有し、その中空内部にビニール袋１を収納できる構造となっている。
【００３３】
図２に示したリハパン用のビニール袋１は、その全体の大きさが、縦×横＝３０ｃｍ×２２ｃｍが好適で、その開口部２が外向きとなるように、左端部４及び右端部５が小さく折り畳まれ、当該ビニール袋１の基部３が前記小袋１０の内面の上部に接着されている。
【００３４】
上述した収納袋Ｓ（小袋１０）の裏面に両面テープが設けられている（図示は省略）。その両面テープにより当該収納袋ＳがリハパンＡの背面における外周ａの上部に接着して後付けされている。背面外周ａの上部７に後付けされることにより着用者の不意な取り外しを防止できると共に、背中への圧力もかからない。なお、収納袋Ｓは後付けでなくリハパンＡの一体成形であってもよい。
【００３５】
したがって、リハパンＡの使用後は、図２に示したように当該リハパンＡを丸めて小さくしたのち直ぐに、付設の収納袋Ｓからビニール袋１を取り出し開口部２を手前に引き出した状態で、左右の両端部４、５を裏返しながらリハパンＡの外周ａをビニール袋１で包む。
【００３６】
しかる後、図３に示したように、前記左右の両端部４、５を左右の手指２０、２１で摘まんで結んで清潔かつ簡便にリハパンＡをビニール袋Ｓに収納し廃棄できる。
【００３７】
図４は異なる実施形態を示している。上述したリハパンＡの内側底部８（図１参照）に、パッドＢを取り付けて使用する際当該パッドＢに上述した収納袋Ｓを備え付ける実施形態である。
【００３８】
すなわち、パッドＢの外周ｂの端部に収納袋Ｓが両面テープの接着等により備え付けられており、当該パッドＢの使用後は、その収納袋Ｓからビニール袋１を取り出し開口部２を手前に引き出した状態で、左右の両端部４、５を裏返しながら丸めたパッドＢ（図示は省略）を包んで収納・廃棄することができる。なお、符号９はリハパンＡ等への接着部を示している。
【００３９】
異なる実施形態として、例えばストーマ（人工肛門の排泄口）に排泄物袋（図示は省略）を取り付け、排便（排泄物）を収納したその排泄物袋を、上記構成の収納袋Ｓのビニール袋１によって収納・廃棄する形態も好適に実施される。
【符号の説明】
【００４０】
Ａ      リハビリパンツ（リハパン）
ａ      外周
Ｓ      収納袋
１      ビニール袋
３      基部
６      開口部
７      上部
８      内側底部
１０    小袋
Ｂ      パッド
ｂ      外周
【図１】
0003196236.tif 000003
【図２】
0003196236.tif 000004
【図３】
0003196236.tif 000005
【図４】
0003196236.tif 000006